(57)【要約】【課題】  家庭においてより簡便にリハビリを行い、歩行機能を回復させうる歩行機能強化具を提供すること。【解決手段】  本考案にかかる歩行機能強化器具の構成は、両足を載置する足踏みプレートの一端をベース盤上に揺動自在に枢支せしめ、前記足踏みプレートの他端に発条を連結して足踏みプレートの復帰運動をなさしめ、さらに、足踏みプレートの上面に足の載置位置を特定する規制部材を設けたものである。【選択図】図１
0003126390.tif 000002
【実用新案登録請求の範囲】
【請求項１】
歩行機能強化器具であって、両足を載置する足踏みプレートの一端をベース盤上に揺動自在に枢支せしめ、前記足踏みプレートの他端に発条を連結して足踏みプレートの復帰運動をなさしめ、さらに、足踏みプレートの上面に足の載置位置を特定する規制部材を設けたことを特徴とする歩行機能強化器具。
【請求項２】
請求項１記載の歩行機能強化器具において、足の載置位置に多数の小孔を開設し、該小孔に足裏を刺激する刺激棒を着脱自在に嵌着したことを特徴とする歩行機能強化器具。
【考案の詳細な説明】
【技術分野】
【０００１】  本考案は歩行機能強化器具に関し、特に、緩やかな歩行運動を行わせることによって脚部の筋力の回復を図り得る歩行機能強化器具に関するものである。
【背景技術】
【０００２】  近年、人口の高齢化に伴い、身体に障害を持ち、生活に介助者を必要とする高齢者が増加しつつある。高齢化社会における問題として、脳血栓症、脳溢血等の脳性疾患の発症であり、脳性疾患の発症後における脳血管障害に起因する後遺症として運動機能に障害を発症し、このために、日常生活における行動において単独ではなしえずに介護者の手助けを得て生活することを余儀なくされることである。【０００３】  また、長期の入院患者や病弱な老人のようにベッドに寝ている時間が長い者、心臓の弱い者および過度の肥満者などは、歩行する機会が少ないため、脚部の筋力が低下し、自力で歩行できない状態になったり、そこまで行かなくとも長時間立っていたり、歩いたりできない状態になることがある。【０００４】  一旦低下した筋力はなかなか回復しないため、患者等は、通常は退院後の社会復帰や病気回復後の自立した日常生活を考慮して、入院中から自力で脚部を動かしたり、また自力で動かせない場合には、寝ながら脚部の屈伸運動を行ったり、あるいは、介護者の助けを借りて脚部を動かしたりするなどして、脚部の歩行機能の回復、いわゆる、リハビリに取り組んでいる。【０００５】  しかしながら、自力で脚部の屈伸運動を行うことができる患者や老人などでは問題とならないが、介護者の助けを借りて脚部の機能を回復させなければならない患者等の場合には、リハビリの機会の多少は介護者の都合により左右されるため、リハビリを毎日行うことができない場合も生じる。このため、脚部の筋力を効果的に回復させることができず、社会復帰が遅れたり、老人の場合には筋力が戻らず寝たきりの生活を送らなければならなくなるといった問題がある。【０００６】  一方、介護者の立場からは、患者や老人の脚部のリハビリを毎日補助することは精神的にも肉体的にも、また時間的にも大変な負担となるという問題がある。【０００７】  ところで、脚部の機能を強化し、あるいは、回復させる器具として、自転車様のサイクリングマシーン、さらには、一対のペダルが弾性部材（バネ）により揺動運動を可能に枢支され、このペダルを交互に足踏み込み運動を行うウォーキングマシンが一般的に知られている。これらの器具は、室内に設置された状態でペダルを漕ぎ、あるいは、ペダルを踏むことにより脚部の筋力を向上させることができるようになっている。【０００８】  しかし、前述するこのサイクリングマシーン、あるいは、ウォーキングマシンの器具は、リハビリ用ではなく、ある程度筋力を有している者が健康維持、ダイエット目的、美容目的のために自力でペダルを漕ぐことによってトレーニングを行ものであって、前述する運動機能に障害を発症した機能障害者、筋力の衰えた高齢者等がリハビリを目的として使用することは、かかる器具を使用する体勢を取ることも困難なものであり、加えて、かかる器具の使用が、脚部に過度の負担を掛けることとなり、かえって脚部を痛めてしまうという問題がある。【０００９】  さらに、患者等が介護者の手を借りることなく脚部の筋力を回復させることができる機能回復訓練装置として、本体部に設けられた座部と、本体部の座部の前方下方に設けられ、両足をそれぞれ載置可能に構成されると共に座部に対して接離動可��な一対のペダルと、本体部内に設けられ一対のペダルを交互に接離運動させる駆動機構とを備え他者が提案されている。【００１０】  さらにまた、完全麻痺状態や高齢者などの歩行がまったく困難な患者等の下肢を強制的に歩行運動させ、早期の社会復帰のためのリハビリテーション効果を促進させ得る機能回復訓練装置として、枠体に取り付けられた座席部と、座席部の下方位置に設けられ患者等が座席部に乗架した状態でその足部を載置させて受けるペダルと、側面視前進方向を先鋭端とし後部側を袋部とする涙状の軌跡を移動するようにペダルを駆動させる駆動機構部と、を備える。ペダルを支持固定させたペダル支持体と、ペダル支持体にそれぞれ一端を枢着されペダル支持体のループ移動を行なわせる複数の操作アームを含む機構部と、により構成するので人の疑似歩行運動に近い軌道に近い動きでペダルを駆動させる構成を有する機能回復訓練装置が提案されている。【００１１】  しかしながら、前記の先行技術に示される機能回復訓練装置にあっては、長期の入院患者や病弱な老人、高齢者である使用者は、座席に座乗することが必要であり、かかる行為は、前述する運動機能の低下した人間が装置を使用するための最初の難関となり、このために介護者の介助を必要とし、介護者に対する極めて過大な肉体的な負担を必要とすると共に、介助の為の人的資源が大きく費やされることとなる。【００１２】  加えて、前述するように何れの機能回復訓練装置にあっても、その装置自身が大掛かりなものとなり、家庭において手軽に、かつ、安直に行いうるものではなく、より簡便に、かつ、安価な器具が希求されるところである。
【特許文献１】  特開平１０−３３６０５号公報
【特許文献２】  特開２００３−６６１号公報
【考案の開示】
【考案が解決しようとする課題】
【００１３】  本考案は前述の諸点に鑑みなされたもので、家庭においてより簡便にリハビリを行い、歩行機能を回復させうる歩行機能強化具を提供することである。
【課題を解決するための手段】
【００１４】  前述の課題を解決するための本考案にかかる歩行機能強化器具の構成は、両足を載置する足踏みプレートの一端をベース盤上に揺動自在に枢支せしめ、前記足踏みプレートの他端に発条を連結して足踏みプレートの復帰運動をなさしめ、さらに、足踏みプレートの上面に足の載置位置を特定する規制部材を設けた点に存するものである。【００１５】  また、本考案にかかる歩行機能強化器具の構成は、足の載置位置に多数の小孔を開設し、該小孔に足裏を刺激する刺激棒を着脱自在に嵌着した点に存するものである。
【考案の効果】
【００１６】  本考案にかかる歩行機能強化器具によれば、足踏みプレートに両足を同時に載置し、健常な方の脚で足踏みプレートを漕ぐことにより、麻痺等により機能の障害を起こしている脚を追随させることで、無理な負担を掛けることなく運動することを可能とし、効果的にリハビリを行うことが可能となる。【００１７】  また、足踏みプレートに足裏のツボを刺激する刺激棒を着脱可能に設けることにより、足の大きさに応じて刺激位置を調整することが可能であり、ツボマッサージを同時に行うことによってリハビリ効果を高からしめ、また、ツボマッサージによりダイエット効果をも奏するものである。
【実施例】
【００１８】  以下、本考案にかかる歩行機能強化器具について図示の実施例に基づいて説明するに、１は本考案にかかる歩行機能強化器具を示し、ベース盤２の上部に足踏みプレート３を揺動自在に枢支している。足踏みプレート３は１枚板で構成してもよいが、図示の実施例に示すように、適宜幅寸法を有する２枚の板３ａ，３ｂを段差部４を形成するように接合して構成するのが望ましく、当該段差部４を形成することによって、足裏の土踏まずから踵部への移行部への刺激を付与することができる。【００１９】    また、足踏みプレート３はベース盤２に対して揺動自在に枢支するものであるが、足踏みプレート３の後端部とベース盤２との間に蝶番５により連結することによって、足踏みプレート３の揺動運動を可能としている。【００２０】  ベース盤２の前方にはポール６を立設し、ポール６の上部には、歩行機能強化器具１を持ち運びができるように、握り手６ａが固定されている。このポール６から水平に延在するフックあるいはアーム７にスプリング８を懸垂し、該スプリング８の先端を前記足踏みプレート３の先端部に設けた係止金具９に連結する。かくして、足踏みプレート３はスプリング８の弾発力に抗して揺動運動をなすことを可能にしており、強度の異なるスプリング８を適宜に変更することによって、弾発力を調整し、もって使用者の機能回復度に適合する任意の運動負荷量を採ることができる。【００２１】  また、使用者の機能の回復程度に合わせた運動負荷量を調整するために、スプリング８自体を変更することに加えて、前記のポール６を伸縮自在のものとなし、足踏みプレート３の吊り下げ位置を調整することによって、弾発力を調整することで運動負荷量を調整し、あるいは、図示の実施例における仮想線で示すように、ポール６に適当な間隔で嵌合孔６’を穿孔し、アーム７を選択的に嵌合孔６’に取り付けることによっても弾発力の調整、言い換えれば、運動負荷量を調整が可能となる。【００２２】  前記足踏みプレート３の上面には両足を載置した場合に、それぞれの足の位置を特定する規制部材が設けられている。即ち、左右の踵止め部材１０と、両足の間隔を維持する仕切り部材１１が固定されている。また、足踏みプレート３の上面には、規則的に、あるいは、ランダムに小孔１２が穿設されており、この小孔１２に足裏を刺激する刺激棒１３を着脱自在に嵌合するように構成するのが望ましい。【００２３】  詳しくは、図３に示すように、球形の頭部１４が形成され、下面に前記小孔１２に嵌合するピン１５を有する足裏刺激棒１３ａ、あるいは、一方に傾斜面１６を形成してなり、さらに、頭部を円弧に形成してなる略直方体の土踏まずを刺激するための土踏まず刺激棒１３ｂを着脱自在に嵌合することを可能としている。【００２４】  なお、前述する踵止め部材１０については、足踏みプレート３に固定してもよいが、足の大きさ（寸法）にあわせて、かつ、足裏の刺激位置との関係において調整しうるように刺激棒１３と同様に嵌合できるように下面にピンを設けて着脱自在とすることも可能である。【００２５】  この場合、図示を省略したが、足踏みプレート３の上面に足型を描画し、足の載置位置（エリア）を表示し、あるいは、足型とツボの関係を表示することによって、より効果的なツボ刺激を得られるようにするのが望ましい。【００２６】  前述の構成を有する本考案にかかる歩行機能強化器具１において、使用者は椅子、ベッド等に腰掛けて座り、足の前に歩行機能強化器具１をセットする。両足を足踏みプレート３の上に載せ、それぞれの踵が踵止め部材１０に当接させた状態で、また、足裏刺激棒１３ａ、あるいは、土踏まず刺激棒１３ｂをセットする場合にあっては、それらが適切な位置となるように調節する。【００２７】  その後、健常なほうの足で足踏みプレート３を漕ぐように踏み込むことによって足踏みプレート３に揺動運動を行わせると、足踏みプレート３に載せた機能障害を持つ脚も同時に無理なく動くこととなり、また、刺激棒１３を設置した場合にあっては、これが足裏あるいは土踏まずに点在するツボを刺激することから、ツボ刺激効果と相俟って歩行機能強化のリハビリを効果的に行うことが可能となる。
【図面の簡単な説明】
【００２８】
【図１】本考案にかかる歩行機能強化器具の正面図
【図２】本考案にかかる歩行機能強化器具の側面図
【図３】刺激棒の取り付け状態を示すＡ−Ａ線部分断面図および土踏まずの刺激棒を示す説明図
【符号の説明】
【００２９】    １：歩行機能強化器具
２：ベース盤
３：足踏みプレート
４：段差部
５：蝶番
６：ポール
７：アーム
８：スプリング
９：係止金具
１０：踵止め部材
１１：仕切り部材
１２：小孔
１３：刺激棒
１４：頭部
１５：ピン
１６：傾斜面
【図１】
0003126390.tif 000003
【図２】
0003126390.tif 000004
【図３】
0003126390.tif 000005